(57)【特許請求の範囲】
【請求項１】
水源（１）からポンプ（２）により筒先に消火水を送る送水経路（３）に、水の一部をポンプ（２）の先方から後方に還流する還流経路（４）を形成し、当該還流経路（４）に互いに並列に配置された複数の混合器（５ａ、５ｂ）を設け、当該混合器（５ａ、５ｂ）にそれぞれ水に対する混合割合の異る異種の消火薬剤を供給するようにすると共に、これらの複数の混合器（５ａ、５ｂ）のうちの一を選択する切替弁（１２）を設けたことを特徴とする、消防車用消火薬剤混合装置
【発明の詳細な説明】
【０００１】
【発明の属する技術分野】
本発明は、火災現場において消防ポンプから放水するにあたり、水に消火薬剤を混合するための装置に関するものであって、特に二種以上の消火薬剤のうちから一を選択して混合する装置に関するものである。
【０００２】
【従来の技術】
従来から火災の消火活動において、放水する水に泡消火薬剤などの薬剤を混合し、消火効率を高めることが行われている。これらの消火薬剤には種々のものが提供されているが、水に対する混合割合を３％として、主として油火災に対して有効なものと、混合割合を６％として、主として油・アルコール火災に対して有効なものとが広く使用されている。
【０００３】
また木材などの一般火災に対しては、従来から水が最も有効な消火剤であるとして、特別な消火薬剤が使用されることは少なかった。ところが近年になって、消火に要する水の量を減少させ、また消火後に再着火しにくくするなどの効果のある、一般火災に対して有効な消火薬剤が開発され、広く使用されるようになっている。
【０００４】
この一般火災用の消火薬剤は、通常水に対する混合割合を０．５％として使用するものであり、水に対する混合割合が少ないので、放水する水に対して準備すべき薬剤の量が少なくて済み、保管コストが低減されると共に、消防車に搭載する薬剤の量が少なくなり、消火活動をより効率的に行うことができるという利点がある。
【０００５】
これらの消火薬剤を水に混合するときは、図１に示すような混合装置が使用される。すなわち水源１からポンプ２で水を吸い上げて、ホースを通して筒先に水を送る送水経路３が形成されており、当該送水経路３におけるポンプ２の先方から後方に還流する還流経路４が形成されている。
【０００６】
そしてその還流経路４には混合器５が設けられており、薬剤タンク６から供給される薬剤を還流する水に混合するようになっている。なお７は還流する水の量を調節する調整バルブであり、８は薬剤を水に混合するか否かを切り替える開閉バルブ、９は薬剤の供給の有無を切り替える開閉弁であり、１０は水が薬剤タンク６に逆流するのを防止する逆止弁である。
【０００７】
【発明が解決しようとする課題】
しかしながら一般に、火災の種類は、現場に消防車が到着してみなければ判らないと言うケースが少なくない。例えば一般住宅の一般火災と考えられる火災であっても、相当量の灯油などが保管されている場合もあり、また自動車の燃料に引火して油火災に発展する場合もある。
【０００８】
そのため火災現場において火災の種類を判定して消火薬剤の種類を決定しなければならず、また消火活動中においても火災の種類が変動し、消火薬剤を変更しなければならないこともある。
【０００９】
ところで前述のような混合装置においては、水に対する薬剤の混合量は、混合器５に設けられた調整弁で調節するのであるが、薬剤の混合量が少なくなると調整弁での調節が困難になる。
【００１０】
従来広く用いられていた混合割合が３％又は６％の薬剤を使用する場合であれば、それに見合った調節位置があり、多少の誤差はあっても適切な範囲に調節することができる。
【００１１】
しかしながら混合割合を０．５％とするためには、３％に較べると極端にバルブを絞らねばならない。しかも混合割合が３％であれば、±０．５％程度は誤差の範囲として許容されるが、混合割合が０．５％に対して±０．５％と言えば、０から設定の二倍にかけての範囲となり、到底誤差の範囲として許容することはできない。
【００１２】
薬剤の混合割合が少ないと言うことは、その混合割合の誤差の範囲もそれに応じて狭くなるのであって、従来の混合器で混合割合が０．５％の薬剤を使用しようとすれば、調整弁を閉じた状態から僅かに開いたところで、微妙に開閉して調節しなければならない。
【００１３】
しかも緊急を要する火災の現場において、火災の種類に応じて消火薬剤を選択し、その薬剤に応じて上記のような微妙なバルブ操作が要求されるのであって、作業効率が低下し、到底対応できるものではない。
【００１４】
本発明はかかる事情に鑑みなされたものであって、水に対する混合割合の異る複数の消火薬剤を同時にセットしておき、そのときの火災の種類に応じて適切な薬剤を水に混合できるようにすることを目的とするものである。
【００１５】
【課題を解決するための手段】
而して本発明は、水源からポンプにより筒先に消火水を送る送水経路に、水の一部をポンプの先方から後方に還流する還流経路を形成し、当該還流経路に互いに並列に配置された複数の混合器を設け、当該混合器にそれぞれ水に対する混合割合の異る異種の消火薬剤を供給するようにすると共に、これらの複数の混合器のうちの一を選択する切替弁を設けたことを特徴とするものである。
【００１６】
【発明の実施の形態】
図２は本発明の消火薬剤の混合装置を示すものである。すなわち従来の装置と同様、水源１からポンプ２で水を吸い上げて、ホースを通して筒先に水を送る送水経路３が形成されており、当該送水経路３におけるポンプ２の先方から後方に還流する還流経路４が形成されており、当該還流経路４には調整バルブ７及び開閉バルブ８が設けられている。
【００１７】
そしてその還流経路４は、途中で二つの分岐経路４ａ、４ｂに別れており、各分岐経路４ａ、４ｂにはそれぞれ混合器５ａ、５ｂが設けられており、薬剤タンク６ａ、６ｂから供給されるそれぞれ異る薬剤を、還流する水に混合するようになっている。
【００１８】
なお９ａ、９ｂは薬剤の供給の有無を切り替える開閉弁であり、１０ａ、１０ｂは水が薬剤タンク６ａ、６ｂに逆流するのを防止する逆止弁である。また１１ａ、１１ｂは各分岐経路４ａ、４ｂ毎の流量調整バルブであり、１２は流路を選択する切替弁である。
【００１９】
【作用】
本発明においては、ポンプ２で水源１から水を吸い上げ、送水経路３においてホースを通って筒先から放水する。このとき送水経路３を通る水の一部が、ポンプ２の先方から還流経路４を通じて後方に還流される。
【００２０】
而して切替弁１２を切り替えることにより、還流経路４の分岐経路を４ａ、４ｂのいずれかを選択する。そして還流する水は選択された分岐経路を経由し、当該分岐経路における混合器５において、対応する薬剤タンク６から消火薬剤を供給されて混合される。このとき消火薬剤の混合割合は、混合器５において設定されている。
【００２１】
本発明においては、例えば一方の薬剤タンク６ａに混合割合が３％の消火薬剤を、他方の薬剤タンク６ｂに混合割合が０．５％の消火薬剤を収容し、その混合割合は混合器５ａ、５ｂの調整弁において予め設定しておく。
【００２２】
そして消火作業を行う際に、火災の種類に応じて、一般火災で混合割合が０．５％の消火薬剤を使用するときには、切替弁１２を分岐経路４ｂに切り替え、油火災の場合には、切替弁１２を分岐経路４ａに切り替えて混合割合が３％の消火薬剤を使用する。
【００２３】
なお各薬剤タンク６ａ、６ｂには、常時それぞれの消火薬剤を収容しておくこともできるが、必ずしも常に収容しておく必要はなく、火災の種類が確定できる場合には、現実に使用する消火薬剤のみを対応する薬剤タンク６に収容して使用することも可能である。また分岐経路は、先の例では二つであるが、三つ又はそれ以上とすることも可能である。
【００２５】
【発明の効果】
従って本発明によれば、状況に応じて複数の混合器５を切り替えて、異る設定で消火薬剤を混合し、且つ現場において面倒な調整弁の設定を行う必要がなく、常に最も適切な消火薬剤を最も適切な設定で混合して、適切な消火活動を行うことができる。
【図面の簡単な説明】
【図１】  従来の消火薬剤の混合装置の水流回路図
【図２】  本発明の消火薬剤の混合装置の水流回路図
【符号の説明】
１  水源
２  ポンプ
３  送水経路
４  還流経路
５  混合器
１２  切替弁
【図１】
0003844677.tif 000002
【図２】
0003844677.tif 000003